(57)【要約】【課題】  一般的なネットワーク経由でサーバから再生を行うクライアント再生機においても、サーバ上に記録されていないリアルタイムなライブ画像を受信し、再生表示できる記録再生配信装置を提供する。【解決手段】  ライブ映像情報として、すでに記録再生配信装置の中に記録されている情報のほか、仮想のコンテンツ名、ファイル名、ファイルサイズを一覧情報としてクライアント再生機に送り、その仮想のコンテンツの再生要求を受け付けると、ライブ映像をクライアント再生機に送信する。【選択図】図1
2009159351.tif 000002
【特許請求の範囲】
【請求項１】
コンテンツを記録再生する記録再生手段と、
前記コンテンツを再生するためのコンテンツの一覧を生成し、ネットワークを経由して、クライアントへ前記コンテンツの一覧を送信するコンテンツ一覧管理部と、
前記コンテンツの一覧を元に前記ネットワークを経由して、前記クライアントから再生を要求された前記コンテンツを送信制御するコンテンツ送信部と、
前記コンテンツの一覧と前記コンテンツを前記ネットワークを経由して前記クライアントに送信する送信部と、を備え、
前記コンテンツ一覧管理部は、映像入力手段と音声入力手段から映像の取得を意味付けした仮想コンテンツ情報を前記コンテンツの一覧に追加して前記クライアントに送信し、前記クライアントから前記仮想コンテンツの再生要求を受信すると、前記ネットワークを経由して前記映像入力手段と前記音声入力手段から取得する映像をリアルタイムに前記クライアントに送信する、ことを特徴とする映像記録再生配信装置。
【請求項２】
前記仮想コンテンツ情報は、所定のコンテンツ名、ファイル名、ファイル容量であることを特徴とする請求項１記載の映像記録再生配信装置
【請求項３】
前記コンテンツ一覧管理部は、ライブ映像送信時にライブ映像を送信中であること表示するためのGUIを生成して制御することを特徴とする、請求項１に記載の映像記録再生配信装置。
【請求項４】
前記コンテンツ一覧管理部は、前記コンテンツの送信時にコンテンツを送信中であること表示するためのGUIを生成して制御することを特徴とする、請求項１に記載の映像記録再生配信装置。
【発明の詳細な説明】
【技術分野】
【０００１】
本発明は、ネットワークに接続するための通信手段を持つ動画や音声を記録再生可能な装置に係り、特に、ビデオカメラなどの記録再生装置と、コンテンツを送信できるサーバ機能を備える装置に関する。
【背景技術】
【０００２】
撮影した動画像をインターネットを介して、クライアントへ伝送するには、従来のビデオカメラでは、動画像を配信用ストリームデータに変換させるためのサーバを、ビデオカメラとクライアントの間に介在させる必要があり、設備の設置に手間やコストがかかるため、これを解決するため記録媒体から再生した映像信号又はライブラリ情報を、ネットワークを介してクライアントへ配信するビデオカメラがある。
【０００３】
【特許文献１】特開2006-13740
【発明の開示】
【発明が解決しようとする課題】
【０００４】
上記ビデオカメラは記録媒体に記録されたコンテンツのみライブラリ情報を配信可能であり、ネットワークを介してリアルタイムに映像を配信するという点で配慮されていなかった。
【課題を解決するための手段】
【０００５】
ネットワークに接続可能で、サーバ機能を有し、記録したコンテンツの一覧を送信可能な配信装置において、該配信装置の記録媒体に記録されていない、現在リアルタイムに前記配信装置に入力されている映像信号を、記録済みコンテンツとして一覧に追加し、クライアントに送信し、前記記録されていないコンテンツの再生要求がクライアントから来ると、ライブ映像をリアルタイムに送信する。また同時にリアルタイムに送信される映像を記録媒体に記録する手段を提供する。
【発明の効果】
【０００６】
本発明により、ネットワークを介して誰でもライブ映像を配信することができ、またライブ映像を遠隔地から視聴することができる。
【０００７】
また、たとえば標準的な、ネットワークからコンテンツ一覧を受信して再生表示するネットワーク再生機（DLNA (Digital Living Network Alliance)対応再生機も含む)においても、配信コンテンツ一覧の1つとして、Live映像を選択、再生してみることができる、映像配信装置を提供できる。
【発明を実施するための最良の形態】
【０００８】
以下、本発明の実施例を説明する。
【実施例１】
【０００９】
図１は、本発明を適用した一実施形態である記録再生装置のハードウェア構成図と、ネットワークとの接続を示す構成図である。図１において、１００は被写体を撮影して記録媒体に記録し、記録したコンテンツ（コンテンツとは、動画、静止画、音声などのデータであり、動画データはたとえば非圧縮動画ストリームや、MPEG2（Motion Picture Expert Groupe）やMPEG4 AVC（AVC：Advanced Video Coding）などの圧縮動画ストリームであり、静止画は非圧縮静止画ストリームや、JPEG（Joint Photographic Experts Group）などで圧縮静止画ストリームであり、音声は非圧縮音声ストリームや圧縮音声ストリームであり、コンテンツの動画は前記非圧縮音声ストリームや圧縮音声ストリームを含む場合もある）を再生し、再生出力を得ることができる。
【００１０】
また、ネットワークを介して、記録媒体に記録されるコンテンツの一覧と、コンテンツと、ライブ映像を他の機器に送信することが可能なサーバ機能を持つ記録再生装置（例えばネットワーク接続機能を持つビデオカメラが該当する）を示している。
【００１１】
記録時において、レンズや撮像素子からなる撮像部１０１から取り込まれた撮像信号はカメラ制御回路１０３にてデジタル信号処理され、所定の映像信号に変換される。マイク１０２から取り込まれた音声信号は、音声制御回路１０４にてアナログからデジタルへと変換される。カメラ制御回路１０３と音声制御回路１０４にて処理された映像、音声信号は、記録系信号処理回路１０５においてそれぞれ圧縮、圧縮ストリームをシステムストリームとして多重化など必要な信号処理が施され記録再生系１０６により記録媒体１０７へ記録される。
【００１２】
また、カメラ制御回路１０３の出力は、映像切換え回路１３１を経由し、後述するグラフィカルユーザインターフェース生成回路１１７の出力と加算回路１２１にて加算されて、DA変換器（DA:Digital-Anarogue、デジタルアナログ変換機）１２３によってアナログ映像出力端子１２５へ出力されると同時に、表示部１２９（ビデオカメラでは一般的に液晶モニター、またはビューファインダーが該当する）へ出力される。また、音声制御回路１０４の出力は、音声切換え回路１０３を経由し、DA変換機１２４を経由してアナログ音声出力端子１２６へ出力される。
【００１３】
また、加算回路１２１の出力と、音声切換え回路１３２の出力は、多重化回路１２２にて多重化され、デジタル出力端子１２７へ出力される。
ユーザインタフェース１１４を介したユーザの指示に応じて、制御部１１５は、上記の動作を行うように各構成要素を制御する。
【００１４】
再生時において、記録媒体１０７から記録再生系１０６を介して読み出されたコンテンツは、再生系信号処理回路１０８を介してバッファリング等の再生に必要な信号処理が施され、分離回路１１８に送られる。映像復号回路１１９では所定の映像復号処理が施されて、映像切換え回路１３１を経由して、後述するグラフィカルユーザインターフェース生成回路１１７の出力と加算回路１２１にて加算されて、DA変換器（DA:Digital-Anarogue、デジタルアナログ変換機）によってアナログ映像出力端子１２５へ出力されると同時に、表示部１２９へ出力される。
【００１５】
また音声復号回路１２０では所定の音声復号処理が施され、音声切換え回路１３２を経由してDA変換回路１２４においてデジタル信号からアナログ信号への変換が成された後、アナログ音声出力端子１２６を介して接続される他の機器の音声出力装置により出力される。また、記録時と同様に、加算回路１２１の出力と、音声切換え回路１３２の出力は、多重化回路１２２にて多重化され、デジタル出力端子１２７へ出力される。
【００１６】
また、制御部１１５は、ユーザインターフェース１１４の入力や、後に詳細に述べるクライアント１１３からネットワーク１１２、ネットワーク端子１０９を経由し、ネットワーク信号処理回路１１０を介して送られてくる命令に応じて、記録再生装置１００の表示部１２９やデジタル出力端子１２７やアナログ映像出力端子１２５へ表示する、メニューやコンテンツ転送状況を示す表示文字や図形（後で詳細を述べる）をグラフィカルユーザインターフェース（以下GUI）生成回路１１７に生成する。
【００１７】
GUI生成回路１１７に生成されたGUI情報は、加算回路１２１にて、カメラ制御回路１０３の出力(記録時)または記録媒体１０７から再生系信号処理回路１０８、分離回路１１８、映像復号回路１１９を経由して再生された再生画像（再生時）と加算がなされ、この出力が記録再生装置１００の表示部１２９やデジタル出力端子１２７やアナログ映像出力端子１２５へ表示される。
【００１８】
コンテンツの一覧送信について述べる。クライアント１１３からネットワーク１１２、ネットワーク端子１０９を経由してコンテンツ一覧要求コマンドを制御部１１０が受け取ると、記録再生系１０６を介して記録媒体１０７にあるコンテンツより、制御回路１１５にてコンテンツの一覧情報を生成する。
【００１９】
その際、記録媒体に記録されているコンテンツに加えて、記録再生装置１００が現在撮像している画像（ライブ映像）の情報を１つのコンテンツ（これをコンテンツＡとする）として追加する。その一覧情報は、ネットワーク系信号処理回路１１０を介してネットワーク端子１０９（有線接続、無線接続など接続形態はかまわない）からネットワーク１１２を介して外部クライアント１１３へ送信される。
【００２０】
次に再生コンテンツ送信について説明する。クライアント１１３からネットワーク１１２、ネットワーク端子１０９を経由してコンテンツ再生要求コマンドを制御部１１０が受け取ると、記録媒体中に記録されたコンテンツの再生要求だった場合は、記録媒体１０７から記録再生系１０６を介して読み出されたコンテンツは、再生系信号処理回路１０８を介してバッファリングなど必要な信号処理が施され、ネットワーク系信号処理回路１１０を介し、ネットワーク端子１０９からネットワーク１１２を介して外部クライアント１１３へ送信される。
【００２１】
コンテンツＡの再生要求コマンドを受け取った場合は、撮像部１０１とマイク１０２から取り込む映像と音声を記録系信号処理回路１０５において圧縮処理、パケッタイズなどの圧縮ストリーム化など必要な信号処理が施され、ネットワーク系信号処理回路１１０を介し、ネットワーク端子１０９からネットワーク１１２を介して外部クライアント１１３へリアルタイムにライブ映像が送信される。
【００２２】
図２は、本発明を適用した一実施形態である記録再生装置の表示部１２９などにおいて、サーバ機能が有効時、ネットワーク１１２を介して外部クライアント１１３へのコンテンツ送信、またはライブ映像送信時の表示例について示したものである。
【００２３】
図２において、（１）は記録媒体に記録されたコンテンツ送信時の画面例で、２００は、表示部１２９に、またはアナログ映像出力端子１２５またはデジタル映像出力端子１２７に接続された外部表示装置に表示される画面を示し、レンズ１０１から取り込み、カメラ制御回路１０３でデジタルに変換され、加算回路１２１でグラフィカルユーザインタフェース生成部１１７などからのデータと加算された、ライブ映像を背景に表示（背景の表示はライブ映像に限らない）する例である。
【００２４】
２０１は、サーバ機能が有効であることを示す。２０２は記録媒体に記録されたコンテンツを送信中であることを示すメッセージ表示である。（２）はライブ映像伝送時の画面例で、２０３はライブ映像伝送中であることを示すメッセージ表示である。２０４はライブ映像伝送中であることを示すアイコン表示を示し、一定時間毎に点滅表示をする。２０１、２０２、２０３、２０４の表示は一例であり、表示位置や表示文字などは例に限らない。
【００２５】
２０２と２０３のメッセージ表示または２０４のアイコン表示により、記録媒体に記録されたコンテンツを送信中か、またはライブ映像送信中かを知らせる事ができる。これにより表示部１２９などを介してユーザに、記録装置はどのようなネットワーク状態かを知らせ、利便性を高めると考える。
【００２６】
図３は本発明を適用した一実施形態である記録再生装置において、図1の構成要素と照らしあわせて、サーバ機能が有効でネットワーク１１２（図１）を介して外部クライアント１１３にコンテンツまたはライブ映像を送信するまでに至る処理フローを示す。
【００２７】
制御部１１５が、外部クライアント１１３からネットワーク１１２、ネットワーク端子１０９、ネットワーク系信号処理回路１１０を介して、コンテンツ一覧の要求を取得し、サーバ機能が有効と判断した場合、処理フローを継続する（ステップ３００）。
【００２８】
制御部１１５が、コンテンツ一覧制御回路１１１で生成されたコンテンツの一覧をネットワーク系信号処理回路１１０、ネットワーク端子１０９、ネットワーク１１２を介して外部クライアント１１３へ送信する。このとき、記録媒体１０７に記録されている各コンテンツごとの情報としては、コンテンツ名（後に図５で記述するＧＵＩ画面上に表示するコンテンツの名の情報）、コンテンツのファイル名、ファイルサイズを送信する（ステップ３０１）。
【００２９】
これに加えて、まだ記録されていない、前記コンテンツＡの情報としては、たとえばコンテンツ名を「ライブ」、ファイル名をlive.mpg、ファイルサイズを所定サイズ（たとえば５００ＭＢ：メガバイト）とした仮想コンテンツ情報を送信する。
【００３０】
制御部１１５が、外部クライアント１１３からネットワーク１１２、ネットワーク端子１０９、ネットワーク系信号処理回路１１０を介して、コンテンツ再生の要求を取得することを示す（ステップ３０２）。
【００３１】
３０２で取得したコンテンツ再生の要求内容を制御部１１５が判定処理することを示す。３０２で取得したコンテンツ再生要求の内容がライブ映像要求の場合は３０７へ、記録媒体１０７に格納されたコンテンツの再生要求の場合は３０４の処理へ遷移する（ステップ３０３）。
【００３２】
制御部１１５が、グラフィカルインタフェース生成部１１７を介して、２０１と２０２のメッセージを加算回路１２１に出力し、表示部１２９などに表示する（ステップ３０４）。制御部１１５が、記録媒体１０７から記録再生系１０６からコンテンツを読み出す（ステップ３０５）。
【００３３】
制御部１１５が、３０５で読み出したコンテンツを、再生系信号処理回路１０８を介して復調等の再生に必要な信号処理が施し、ネットワーク系信号処理回路１１０、ネットワーク端子１０９、ネットワーク１１２を介して外部クライアント１１３へ送信する（ステップ３０６）。
【００３４】
制御部１１５が、グラフィカルインタフェース生成部１１７を介して、２０３と２０４のメッセージを加算回路１２１に出力し、表示部１２９などに表示する（ステップ３０７）。
【００３５】
制御部１１５が、レンズ１０１とマイク１０２から取り込む映像と音声を記録系信号処理回路１０５においてエンコードなど必要な信号処理が施されたライブ映像を、ネットワーク系信号処理回路１１０、ネットワーク端子１０９、ネットワーク１１２を介して外部クライアント１１３へリアルタイムに送信する。また記録再生系１０６により記録媒体１０７へ送信するライブ映像を記録する（この記録処理は前記コンテンツＢの処理する場合に該当する）（ステップ３０８）。なお外部クライアント１１３の処理によっては、必ずしも３００、３０１は行われるとは限らない。
【００３６】
図４は、本発明を適用した一実施形態である外部クライアント１１３のハードウェア構成図と、ネットワークとの接続を示す構成図である。図４において、４００は外部入力からデータを受信し、映像データを再生することができ、またネットワークを介して、コンテンツの一覧を取得し、コンテンツの一覧を基に再生要求をし、受信したコンテンツを再生することができる再生装置（例えばネットワーク接続機能を持つテレビが該当する）を示す。外部サーバ４１４は記録再生装置１００を示す。
【００３７】
再生時において、ユーザインタフェース４１６を介したユーザの指示に応じて、アンテナからの受信波を入力する入力端子４０１から受信した信号は、復調回路４０７で再生に必要な信号処理が施され、分離回路４０８で１番組のストリームに分離され、分離回路４２１を介して復号回路４２２では所定の映像復号処理が施されて、表示部４３１（テレビではテレビ画面が該当する）で表示される。
【００３８】
またはデジタル入力端子４０２から受信したデータは、再生系信号処理回路４１０を介してバッファリング等の再生に必要な信号処理が施され、分離回路４２１に送られ、復号回路４２２では所定の映像復号処理が施されて、加算回路４２４にて後述するＧＵＩ情報と加算される。加算回路４２４の映像出力は、表示部４３１に表示されると同時に、映像ＤＡ変換機４２５を経由してアナログ映像出力端子４２７に出力される。
【００３９】
また映像復号回路４２２では所定の映像復号処理が施されたデータは、デジタル映像出力端子４２９、もしくは(Ｄ／Ａ)変換回路４２５においてデジタル信号からアナログ信号への変換が成された後、アナログ映像出力端子４２７を介して接続される他の機器の画面へ表示される。
【００４０】
また音声復号回路４２３では所定の音声復号処理が施されたデータは、ＤＡ変換回路４２６においてデジタル信号からアナログ信号への変換が成された後、スピーカ４２９より音声として出力されるし、アナログ音声出力端子４２８を介して接続される他の機器の音声出力装置により出力される。
【００４１】
外部サーバ４１４から受信するコンテンツの再生においては、外部サーバ４１４から取得した後コンテンツ一覧の情報を、グラフィカルユーザインタフェース生成部４１９を介して表示部４３１で表示し、ユーザインタフェース４１６を介してユーザに再生する外部サーバ４１４のコンテンツを選択させ、コンテンツの再生要求をネットワーク系信号処理回路４１２、ネットワーク端子４１１、ネットワーク網を介して外部サーバ４１４へ再生要求を行い（例えば取得先をＵＲＬで表現し、ＵＲＬに対しＨＴＴＰを用いて取得要求を行うなどの方法がある）、外部サーバ４１４から送信されるコンテンツを、再生系信号処理回路４１０などを介して表示部４３１などで再生される。
【００４２】
制御部４１７は、システムバス４１８を介して再生装置４００の各部を制御するものであり、またユーザインタフェース４１６を介して入力されたユーザの指示入力に基づいた動作を行うように、装置全体を制御する。なお、ユーザへの指示入力要求、あるいは必要なユーザへのグラフィカルユーザインタフェース表示は、グラフィカルユーザインタフェース生成部４１９で用意され、加算回路４２４において、映像復号回路４２２の出力と適当なレベルで加算されて、最終的にアナログ映像出力端子４２７またはデジタル映像出力端子４２９に接続された外部表示装置（図示していない）、または表示部４３１で実現される。
【００４３】
図５は、本発明を適用した一実施形態である再生装置の表示部４３１などにおいて、外部サーバ４１４から取得したコンテンツ一覧の表示例について示したものである。
【００４４】
５００は、表示部４３１、またはアナログ映像出力端子４２７またはデジタル映像出力端子４２９に接続された外部表示装置に表示される画面を示し、グラフィカルユーザインタフェース４１９で生成されたコンテンツ一覧を表示する例である。
【００４５】
５０１は、外部サーバ４１４のコンテンツの一つで、前記コンテンツＡを表す。５０２は、外部サーバ４１４のコンテンツの一つで、外部サーバ４１４の記録媒体１０７に格納されたコンテンツを表す。５０３は、外部サーバ４１４のコンテンツの一つで、５０４は、外部サーバ４１４のコンテンツの一つで、外部サーバ４１４の記録媒体１０７に格納されたコンテンツを表す。
【００４６】
ユーザは５００のコンテンツ一覧から再生したいコンテンツ（図５では、５０１、５０２、５０３、５０４が該当）を選択決定することにより、外部サーバ４１４にコンテンツを要求し、再生することができる。
【００４７】
図６は、本発明を適用した一実施形態である再生装置において、ネットワーク網４１３を介して外部サーバ４１４からコンテンツ一覧取得から、コンテンツ再生に至るまでの処理フローを示す。
【００４８】
制御部４１７は、ユーザインタフェース４１６を介したユーザの指示（制御部４１７の自動処理などでもかまわない）に応じて、ネットワーク系信号処理回路４１２、ネットワーク端子４１１、ネットワーク網４１２を介して、外部サーバ４１４へコンテンツ一覧取得の要求を送信する（ステップ６００）。
【００４９】
制御部４１７は、ネットワーク網４１３、ネットワーク端子４１１、ネットワーク系信号処理回路４１２を介して、外部サーバ４１４から受信したコンテンツの一覧を格納する。そして５００に示すコンテンツの一覧が表示部４３１などに表示される（ステップ６０１）。
【００５０】
制御部４１７は、ネットワーク系信号処理回路４１２、ネットワーク端子４１１、ネットワーク網４１３を介して、ユーザが５００のコンテンツ一覧から選択決定したコンテンツの再生要求を、外部サーバ４１４に送信する（ステップ６０２）。
【００５１】
制御部４１７は、ネットワーク網４１３、ネットワーク端子４１１、ネットワーク系信号処理回路４１２を介して、６０２で再生要求したコンテンツを、外部サーバ４１４から受信する（ステップ６０３）。
【００５２】
制御部４１７は、６０３で外部サーバ４１４から受信したコンテンツを再生系信号処理回路４１０に送る。受信したコンテンツは再生系信号処理回路４１０を介して復調等の再生に必要な信号処理が施され、映像復号回路４２２を介して、表示部４３１などで再生される（ステップ６０４）。
【００５３】
以上より、サーバ機能を有する記録再生装置と再生装置間において、再生装置が一般的な記録済みコンテンツ一覧を再生するものであっても、ライブ映像を選択、再生することが実現できる。
【図面の簡単な説明】
【００５４】
【図１】記録再生装置のハードウェア構成の一例を示す図である。
【図２】記録再生装置で扱う、表示画面の一例を示す図である。
【図３】記録再生装置における、ネットワークを介したデータ送受信時の処理フローの一例を示す図である。
【図４】再生装置のハードウェア構成の一例を示す図である。
【図５】再生装置で扱う、表示画面の一例を示す図である。
【図６】再生装置における、ネットワークを介したデータ送受信時の処理フローの一例を示す図である。
【符号の説明】
【００５５】
１００…記録再生装置、１０１…レンズ、１０２…マイク、１０３…カメラ制御回路、１０４…音声制御回路、１０５…、記録系信号処理回路、１０６…記録媒体のドライブ機能を含めた記録再生系、１０７…記録媒体、１０８…再生系信号処理回路、１０９…他の機器とネットワーク接続するためのネットワーク端子、１１０…ネットワーク系信号処理回路、１１１…コンテンツ一覧制御回路、１１２…ネットワーク、１１３…外部クライアント、１１４…ユーザインタフェース、１１５…制御部、１１６…システムバス、１１７…グラフィカルユーザインタフェース生成部、１１８…復調したデジタル信号を音声、映像データに分離する分離回路、１１９…映像復号回路、１２０…音声復号回路、１２１…加算回路、１２２…加算回路、１２３…デジタル／アナログ(Ｄ／Ａ)変換回路、１２４…Ｄ／Ａ変換回路、１２５…アナログ映像出力端子、１２６…アナログ音声出力端子、１２７…デジタル映像出力端子、１２８…デジタル音声出力端子、１２９…表示部。
【図１】
2009159351.tif 000003
【図２】
2009159351.tif 000004
【図３】
2009159351.tif 000005
【図４】
2009159351.tif 000006
【図５】
2009159351.tif 000007
【図６】
2009159351.tif 000008